(57)【要約】      （修正有）【課題】マッサージ器の構造を提供する。【解決手段】ベース１０、ジョイント２０、マシン部３０及び交換可能なマッサージヘッドから構成し、マシン部の内部に、モータ５２で駆動する伝動チェーン、伝動チェーンが駆動するスライド板５４を設け、該スライド板により第一シャフト６１を駆動し、第一シャフトにより第二シャフト６２を押し動かし、また第二シャフトはマシン部外に突出してマッサージヘッドの設置にする。スライド板上に更にリレー５７を設置して、制御可能な可動ピン５７１を駆動して、該可動ピンが第一シャフトに設けた孔６１５の中に刺さるようにして往復距離を変化させる。第二シャフト上に更に歯車６２５をはめ合わせ、該歯車をモータ６３で駆動して、第二シャフトを回転させることができるようにする。第一シャフトと第二シャフト内に丸棒を設け、該丸棒により第一シャフトと第二シャフトを同時に往復直線運動させる。【選択図】図２
0003104860.tif 000002
【実用新案登録請求の範囲】
【請求項１】
マッサージ器の構造において、その構成はベース、ジョイント、マシン部及び交換可能なマッサージヘッドを含み、
ベースの上にジョイントを設置し、
ジョイントをベースとマシン部の間に設置し、
マシン部の内部に、モータで駆動する伝動チェーン、伝動チェーンが駆動するスライド板を設け、該スライド板により第一シャフトを駆動し、第一シャフトにより第二シャフトを押し動かし、また第二シャフトはマシン部外に突出してマッサージヘッドの設置に供し、
以上の構成によりマッサージヘッドが、設定された方向において異なる距離を往復、回転運動することができるようにしてアダルトグッズを構成するマッサージ器の構造。
【請求項２】
ジョイントはユニバーサル・ジョイントとして成ることを特徴とする請求項1記載のマッサージ器の構造。
【請求項３】
スライド板上に更にリレーを設置して、制御可能な可動ピンを駆動し、該可動ピンは第一シャフトに設けた孔の中に刺さることができるようにして成ることを特徴とする請求項１記載のマッサージ器の構造。
【請求項４】
第二シャフト上に更に歯車をはめ合わせ、該歯車をモータで駆動して、第二シャフトを回転させることができるようにして成ることを特徴とする請求項1記載のマッサージ器の構造。
【請求項５】
第一シャフトと第二シャフト内に丸棒を設け、該丸棒により第一シャフトと第二シャフトを同時に往復直線運動させることができるようにして成ることを特徴とする請求項１記載のマッサージ器の構造。
【考案の詳細な説明】
【技術分野】
【０００１】
本考案はマッサージ器の構造に関し、特にアダルトグッズとすることができる自動マッサージ器の構造に関する。
【背景技術】
【０００２】
昔の「性」の閉ざされた観念社会はひっそりと変化を遂げ、既に今日の開かれた「性」社会となり、アダルトグッズの使用は極普遍的で、社会に受け入れられている。
【０００３】
公知のマッサージ器で、特に男性器を模した形状（以下マッサージヘッドと称する）を具えた振動或いはマッサージ器具は、おおむね人の手の力で操作使用するもので、手が疲れやすかった。また機械式マッサージ器は、上下動を形成する全体構造物（動力を含む）がはなはだ大仰であった。特に、これらのマッサージ器が提供できる動作、角度、利便性及び意外性などはかなり限られ、使用者の性要求を満足できるものではない。
【考案の開示】
【考案が解決しようとする課題】
【０００４】
消費者の高度な満足を達成するマッサージ器を提供し、ひいては人類では達成できない効果を提供することを課題とし、以下の機能を具えるマッサージ器の構造を提供する。
１． マッサージヘッドの運動角度（方向）は使用者が簡便に調整することができる。
２． マッサージヘッドは、一定方向での往復運動の速さと距離（或いは深さ）を設定することができ、一般の定距離運動のほか、距離が変化する運動とすることもできる。
３． マッサージヘッドは、上述の方向、深さの往復運動のもとで、更にマッサージヘッドの回転動作を提供することができ、刺激効果を増進する。
４． 上述のマッサージヘッドは、上述の動作を提供すると同時に、更に振動機能を有し、使用者に高度の刺激環境を与える効果を具える。
【課題を解決するための手段】
【０００５】
本考案が提供するマッサージ器の構造は、主にベース、ジョイント、マシン部及び交換可能なマッサージヘッドから構成する。ベースの上にジョイントを設置し、ジョイントをベースとマシン部の間に設置し、マシン部の内部に、モータで駆動する伝動チェーン、伝動チェーンが駆動するスライド板を設け、該スライド板により第一シャフトを駆動し、第一シャフトにより第二シャフトを押し動かし、また第二シャフトはマシン部外に突出してマッサージヘッドの設置に供し、以上の構成によりマッサージヘッドが、設定された方向において異なる距離を往復、回転運動することができるようにする。
【０００６】
該ジョイントはユニバーサル・ジョイントとする。スライド板上に更にリレーを設置して、制御可能な可動ピンを駆動して、該可動ピンが第一シャフトに設けた孔の中に刺さることができるようにする。第二シャフト上に更に歯車をはめ合わせ、該歯車をモータで駆動して、第二シャフトを回転させることができるようにする。第一シャフトと第二シャフト内に丸棒を設け、該丸棒により第一シャフトと第二シャフトを同時に往復直線運動させることができるようにする。
【考案の効果】
【０００７】
本考案のマッサージ器は、多種類の動作を一台に集結し、マッサージヘッドが直線運動をする過程で、運動の速さ、往復距離、回転、振動を調整でき、これにより形成する構造はアダルトグッズに非常に適している。
【考案を実施するための最良の形態】
【０００８】
本考案を実施するための最良の形態を図に沿って説明する。
図１に示すように、本考案は主にベース１０、ユニバーサル・ジョイント２０、マシン部３０及びマッサージヘッド４０から構成する。
ベース１０は本考案の設置に供し、使用時に安定させ、ユニバーサル・ジョイント２０のほか、その他の安定構造や使用者の座位などの連結設備をも設置することができる。
ユニバーサル・ジョイント２０はベース１０上に設置し、その上方にマシン部３０を設置する。ユニバーサル・ジョイント２０は公知の構造体であり、本考案での設置によりマシン部３０のマッサージヘッド４０は、使用者が必要とする運動とマッサージの方向を提供することができる。
マシン部３０はマッサージヘッド４０が設定した動作を形成できるようにし、更に電源コード３１で電源を提供するとともに関連のコントロール回路（リモートコントロール方式を含む）も含む。マシン部３０内に関連メカニズムを内蔵する。
【０００９】
図２、３に示すように、マシン部３０内部の構造は、主に伝動チェーンユニット５０と可動シャフトユニット６０（図５参照）などから成る。
伝動チェーンユニット５０は可動シャフトユニット６０に往復運動をさせる構造であり、固定台５１、モータ５２、チェーンユニット５３、スライド板５４、スライド板５４上に設けるガイド５５で構成する。
【００１０】
固定台５１はマシン部３０のハウジング内部の壁状構造体で、モータ５２、チェーンユニット５３及びスライド板５４を実装して安定して動作するようにする。モータ５２はチェーンユニット５３の回転動力を提供し、公知技術の歯車構造でチェーンユニット５３を駆動し、チェーン５３１上に可動突起５３２を設けて、スライド板５４をはじき動かす。スライド板５４はチェーンユニット５３の上方に設置し、設定した方向に沿って往復のスライド運動を行う。つまり、スライド板５４上に溝５４１を設け、可動突起５３２を該溝５４１内に位置するように設けて、チェーン５３１が運動する時、可動突起５３２はチェーン５３１が形成する楕円状の軌道に沿って運動し、すると可動突起５３２は溝５４１内の位置で運動して、スライド板５４を所定方向で往復直線運動させる。
【００１１】
図３、４に示すように、スライド板５４のマシン部３０寄りの位置にスライドレール５４２を設け、これをマシン部３０上に設けたレール３２と相互に組み合わせ、スライド板５４の外側５４３には押さえ板５６を設け、該押さえ板５６を固定部３３上に固定し、押さえ板５６の方向とレール３２の方向、スライド板５４のスライド運動方向を全て一致させる。スライド板５４上にガイド５５を設け、ガイド５５内に可動シャフトユニット６０を配置し、ガイド５５上にリレー５７を設置する。該リレー５７は可動ピン５７１を提供し、ガイド５５を突き抜けて該可動ピン５７１は可動シャフトユニット６０に刺さるか否かを制御されることができる。
【００１２】
図２、図５、図６、図７、図８に示すように、可動シャフトユニット６０の構成は第一シャフト６１と第二シャフト６２を含み、第一シャフト６１と第二シャフト６２の外形は直方体形状を呈し（形状に制限は無い）、第一シャフト６１をガイド５５内に設置して、これはスライド板５５の運動方向と一致する。第一シャフト６１内に固定棒６１１を内蔵し、固定棒６１１内に円形孔６１２を設け、円形孔６１２には第二シャフト６２から突出する丸棒６２１を内部に設置できるようにする。第一シャフト６１の両側の末端に突出して突起６１３、６１４を設け、これらの突起６１３、６１４はガイド５５の両側に引っかかって、一定の運動距離を形成する。第一シャフト６１上に孔６１５を設け、該孔６１５は可動ピン５７１が入出できるようにし、可動ピン５７１はリレー５７により制御し、可動ピン５７１が孔６１５内に刺さっていない場合、第一シャフト６１の前向きの往復運動をする距離は突起６１４がガイド５５の端に寄っている時をエンド（図６、図７に示す）とし、可動ピン５７１が孔６１５内に刺さっている場合、その前向き推進距離は長くなる。（図８に示す）。
【００１３】
詳しくは、図６に示すように、ガイド５５が最も左側に位置するとき第一シャフト６１は引き戻され、ガイド５５が最も右側へ移動するとき、可動ピン５７１が孔６１５内に刺さっていない場合、突起６１４はガイド５５の右側に寄り（図７）、可動ピン５７１が孔６１５内に刺さっている場合、ガイド５５が最も右側へ移動するとき、第一シャフト６１の運動距離は長くなり（図８に示す）、突起６１４の位置は図７の突起６１４に比べ更に右側になり、即ち第一シャフト６１が運行する距離が長くなる。リレー５７を制御して可動ピン５７１を孔６１５に挿入させたり孔６１５から退出させたりすると、マッサージヘッドは「深さの異なる」運動状態を形成する。
【００１４】
第二シャフト６２を第一シャフト６１の方向が一致した前方に設置し、マシン部３０の前側から突き出させ（図１、図２参照）、その構成は前述の丸棒６２１、シャフト６２２、固定棒６２３、導電板６２４、歯車６２５、マシン部３０から突出したシャフト６２６の前方に設置でき交換可能なマッサージヘッド４０を含む。
【００１５】
上述の構成で、丸棒６２１は第一シャフト６１と第二シャフト６２の内部に設置して、第一シャフト６１と第二シャフト６２が同時に進退（往復の直線運動）するようにし、第二シャフト６２が回転させられても、上述の同時直線往復の動作には影響しない。
上述の構成で、歯車６２５は緩い状態で第二シャフト６２上にはめ込んで設置し、そのため第二シャフト６２が往復直線運動をしている時、歯車６２５はそれにつれて移動することはない。しかし歯車６２５が回転すると、歯車６２５は第二シャフト６２を回転させることができる。歯車６２５に対応する位置にモータ６３とその歯車６３１を設け、モータ６３の回転によりその歯車６３１が歯車６２５を駆動し（図２参照）、第二シャフト６２を回転できるようにする。丸棒６２１を第一シャフト６１内に設置してあるため、第二シャフト６２が押し動かされて進退するのと同時に回転の動作も達成することができる。
第二シャフト６２の前端部に結合孔６２７を設けてマッサージヘッド４０を結合できるようにする。
【００１６】
マッサージヘッド４０（男性器形状）は公知技術であり、一般に販売されているマッサージヘッド４０は振動効果を具えており、本考案の実施例ではその外形を本考案の実施に適した形態に設けた。図５に示すように、マッサージヘッド４０の構成は、ハウジング４１、突出シャフト４２、小型モータ４３とその関連部品を含む。ハウジング４１は適当な硬さの材質を選択して男性器形状或いは他の形状に製造することができる。突出シャフト４２は第二シャフト６２の結合孔６２７に挿入し、電源を導入して小型モータ４３の動力を提供する。小型モータ４３の運動により、関連のカムなど（公知部品、図には未表示）を動かしてマッサージヘッド４０が振動状態を呈するようにできる。
【００１７】
以上から、上述の全体の動作は一つの完備した制御回路上で達成することができる。つまり、動作の速度は、リモートコントロール或いはボタン選択でモータ５２の回転速度を制御して形成することができ、動作の距離はリレー５６などを制御して達成することができ、動作の回転はモータ６３を制御して達成することができる。もちろん回路の設計によって、多種の動作を段階に分けて同時進行することもでき、より意外性と効果を増進することができる。よって、本考案は精巧な構造で極めて優れたマッサージ器を提供することができる。
【図面の簡単な説明】
【００１８】
【図１】本考案の実施例の立体図である。
【図２】本考案のマシン部内部構造の実施例の立体図である。
【図３】本考案の伝動チェーンユニットの立体分解図である。
【図４】本考案のスライド板の関連構造の断面図である。
【図５】本稿案の可動シャフトユニットの断面図である。
【図６】第一シャフトの後退時の状態の略図である。
【図７】第一シャフトの前進時の状態（可動ピンが第一シャフトの孔に刺さっていない時）の略図である。
【図８】第一シャフトの前進時の状態（可動ピンが第一シャフトの孔に刺さっている時）の略図である。
【符号の説明】
【００１９】
１０ ベース
２０ ユニバーサル・ジョイント
３０ マシン部
３１ 電源コード
３２ レール
３３ 固定部
４０ マッサージヘッド
４１ ハウジング
４２ 突出シャフト
４３ 小型モータ
５０ 伝動チェーンユニット
５１ 固定台
５２ モータ
５３ チェーンユニット
５３１ チェーン
５３２ 可動突起
５４ スライド板
５４１ 溝
５４２ スライドレール
５４３ 外側
５５ ガイド
５６ 押さえ板
５７ リレー
５７１ 可動ピン
６０ 可動シャフトユニット
６１ 第一シャフト
６１１ 固定棒
６１２ 円形孔
６１３ 突起部
６１４ 突起部
６１５ 孔
６２ 第二シャフト
６２１ 丸棒
６２２ シャフト
６２３ 固定棒
６２４ 導電板
６２５ 歯車
６２６ シャフト
６２７ 結合孔
６３ モータ
６３１ 歯車
【図１】
0003104860.tif 000003
【図２】
0003104860.tif 000004
【図３】
0003104860.tif 000005
【図４】
0003104860.tif 000006
【図５】
0003104860.tif 000007
【図６】
0003104860.tif 000008
【図７】
0003104860.tif 000009
【図８】
0003104860.tif 000010